(57)【要約】  少なくとも１つの細長い物品（１０）を保持するための収納装置（１００）であって、収納装置（１００）は、内壁面および外壁面を有し、開いた構成と閉じた構成との間で長手方向軸の周りに変形可能である壁（１０１）であって、閉じた構成は長手方向に延在するキャビティ（１５２）を画定する、壁（１０１）と、内壁面に結合されるかまたは一体的に形成され、略長手方向に延在する向きで、細長い物品（１０）を受容し、および保持するように構成された、少なくとも１つの保持クリップ（１３２）とを含む。閉じた構成で、保持クリップ（１３２）および保持クリップ（１３２）によって保持される任意の細長い物品（１０）は、キャビティ（１５２）内に配置される。開いた構成では、保持クリップ（１３２）へのアクセスが提供され、それにより、細長い物品（１０）を受容し、保持クリップ（１３２）から取り外すことが可能になる。
2019517784.tif 000002
【特許請求の範囲】
【請求項１】
少なくとも１つの細長い物品を保持するための収納装置であって、
内壁面および外壁面を有し、開いた構成と閉じた構成との間で長手方向軸の周りに変形可能である壁であって、前記閉じた構成は長手方向に延在するキャビティを画定する、壁と、
前記内壁面に結合されるかまたは一体的に形成され、略長手方向に延在する向きで、前記細長い物品を受容し、かつ保持するように構成された、少なくとも１つの保持クリップと、を含み、
前記閉じた構成で、前記保持クリップおよび前記保持クリップによって保持される任意の細長い物品は、前記キャビティ内に配置され、
前記開いた構成で、前記保持クリップにアクセスが提供され、それにより前記細長い物品を受容し、前記保持クリップから取り外すことができる、収納装置。
【請求項２】
前記閉じた構成で、前記壁を解放可能に保持するように構成された解放可能なカップリングをさらに含む、請求項１に記載の収納装置。
【請求項３】
前記壁は、長手方向に延在する複数の壁セクションを含み、前記複数の壁セクションは、
第１の端壁セクションと、
第２の端壁セクションと、
前記第１の端壁セクションと前記第２の端壁セクションとの間に配置された１つまたは複数の中間壁セクションとを含み、
さらに、各壁セクションは、長手方向に延在する第１のエッジ部と、長手方向に延在する第２のエッジ部とを有する、請求項２に記載の収納装置。
【請求項４】
複数の前記保持クリップは、前記内壁面に結合されるか、または一体的に形成される、請求項３に記載の収納装置。
【請求項５】
前記複数の保持クリップは、横方向に延在するセットに配置され、各セットは、隣接するセットから長手方向に離間される、請求項４に記載の収納装置。
【請求項６】
前記壁が前記閉じた構成にあるとき、各セットの隣接する保持クリップが前記壁に支持を提供するように当接する、請求項５に記載の収納装置。
【請求項７】
各壁セクションは、前記内壁面に結合された、または一体的に形成された各セットの１つの保持クリップを有する、請求項６または７に記載の収納装置。
【請求項８】
枢動カップリングが、隣接する壁セクションを枢動可能に結合する、請求項３〜７のいずれか１項に記載の収納装置。
【請求項９】
各中間壁セクションの前記第１のエッジ部および前記第２の端壁セクションの前記第１のエッジ部はそれぞれ第１のカップリングプロファイルを含み、
各中間壁セクションの前記第２のエッジ部および前記第１の端壁セクションの前記第２のエッジ部はそれぞれ第２のカップリングプロファイルを含み、
さらに、各枢動カップリングは、隣接する第２のカップリングプロファイルに係合する前記第１のカップリングプロファイルの１つによって形成される、請求項８に記載の収納装置。
【請求項１０】
前記第１の端壁セクションの前記第１のエッジ部は前記第１のカップリングプロファイルを含み、
前記第２の端壁セクションの前記第２のエッジ部は第３のカップリングプロファイルを含み、
さらに、前記第１の端壁セクションの前記第１のカップリングプロファイルと前記第２の端壁セクションの前記第３のカップリングプロファイルとは前記解放可能なカップリングを形成する、請求項９に記載の収納装置。
【請求項１１】
各枢動カップリングは、隣接する壁セクションの枢動を前記閉じた構成と前記開いた構成との間に制限するように構成される、請求項８〜１０のいずれか１項に記載の収納装置。
【請求項１２】
各壁セクションは、均一なプロファイルを有する押出成形品の形態である、請求項３〜１１のいずれか１項に記載の収納装置。
【請求項１３】
前記外壁面に結合された少なくとも１つの固定手段をさらに含み、各固定手段は、前記解放可能なカップリングを横切って延在し、前記壁を前記閉じた構成で解放可能に固定する、請求項２〜１２のいずれか１項に記載の収納装置。
【請求項１４】
各固定手段は、ループがつまみと係合するときに前記ループが前記解放可能なカップリングを横切って延在するように、前記外壁に結合される、つまみとループとを含む、請求項１３に記載の収納装置。
【請求項１５】
各キャップセクションが各壁セクションの長手方向端部の１つに結合され、各壁セクションの長手方向端部の１つに結合された前記各キャップセクションが協働し、前記キャビティの長手方向端部を閉じるようにしてなる、複数のキャップセクションをさらに含む、請求項３〜１４のいずれか１項に記載の収納装置。
【請求項１６】
各保持クリップは、
前記内壁面に結合可能な端部と、
外側クリップ表面と、
前記細長い物品を受容するための第１の開口部であって、前記収納装置の長手方向に延在する第１の開口部と、
前記外側クリップ表面から前記第１の開口部まで延在する第１のチャネルと、を含み、前記保持クリップは、前記第１のチャネルが開位置と閉位置との間で構成可能であるように、変形可能であり、
前記開位置では、前記第１のチャネルは、前記細長い物品の前記第１の開口部への出入りを可能にし、
前記閉位置では、前記第１のチャネルは、前記細長い物品の前記第１の開口部への出入りを阻害する、請求項１〜１５のいずれか１項に記載の収納装置。
【請求項１７】
各保持クリップは、
前記細長い物品を受容するためであって、前記収納装置の長手方向に延在する第２の開口部と、
前記外側クリップ表面から前記第２の開口部まで延在する第２のチャネルと、をさらに含み、前記保持クリップは、前記第２のチャネルが開位置と閉位置との間で構成可能であるように、変形可能であり、
前記開位置では、前記第２のチャネルは、前記細長い物品の前記第２の開口部への出入りを可能にし、
前記閉位置では、前記第２のチャネルは、任意の細長い物品の前記第２の開口部への出入りを阻害する、請求項１６に記載の収納装置。
【請求項１８】
各保持クリップは、
前記内壁面に結合可能な端部と、
外側クリップ表面と、
前記細長い物品を受容するための第１の保持凹部であって、前記収納装置の長手方向に延在する第１の保持凹部と、
前記保持クリップに枢動可能に結合され、開位置と閉位置との間で移動可能な第１の留め金とを含み、
前記開位置では、前記第１の留め金は、前記細長い物品が前記第１の保持凹部に出入りすることを可能にし、
前記閉位置では、前記第１の留め金が前記第１の保持凹部を閉鎖し、それにより任意の細長い物品が前記第１の保持凹部に出入りするのを阻害する、請求項１〜１５のいずれか１項に記載の収納装置。
【請求項１９】
各保持クリップは、前記細長い物品を受容するための第２の保持凹部であって、前記収納装置の長手方向に延在する第２の保持凹部と、
前記保持クリップに枢動可能に結合され、開位置と閉位置との間で移動可能な第２の留め金とをさらに含み、
前記開位置では、前記第２の留め金は、前記細長い物品が前記第２の保持凹部に出入りすることを可能にし、
前記閉位置では、前記第２の留め金が前記第２の保持凹部を閉鎖し、それにより任意の細長い物品が前記第２の保持凹部に出入りするのを阻害する、請求項１８に記載の収納装置。
【請求項２０】
各保持クリップは、前記内壁面に取り外し可能に結合される、請求項１〜１９のいずれか１項に記載の収納装置。
【請求項２１】
各保持クリップが第１の材料で形成され、前記壁が第２の材料で形成され、前記第１の材料が前記第２の材料とは異なる、請求項１〜２０のいずれか１項に記載の収納装置。
【請求項２２】
各保持クリップが第１の材料で形成され、前記壁が第２の材料で形成され、前記第１の材料が前記第２の材料よりも軟質である、請求項１〜２１のいずれか１項に記載の収納装置。
【請求項２３】
前記外壁面に結合されたハンドルをさらに含む、請求項１〜２２のいずれか１項に記載の収納装置。
【発明の詳細な説明】
【技術分野】
【０００１】
本発明は、釣竿のような１つまたは複数の細長い物品を保持するための収納装置に関する。
【背景技術】
【０００２】
釣竿を運搬するための釣竿用チューブは公知である。それらは、通常、１つまたは複数の釣竿がチューブに挿入され、チューブから取り外されるように一端または両端に取り外し可能なキャップを有するチューブを含む。
【０００３】
公知の釣竿用チューブの欠点は、釣竿がチューブ内に拘束されず、したがって、他の釣竿を含めてチューブ内の他の物体と自由に接触することである。釣竿は非常に耐久性／柔軟性があるが、ガイドやガイドライニングは他の硬い表面や突然／大きな衝撃が加わると損傷を受けやすい。ガイドまたはガイドライニングが損傷したら、釣糸を損傷する可能性があるため、交換する必要がある。
【０００４】
既知の釣竿用チューブから釣竿を取り外す際には、釣竿の全てをチューブから取り外して、他の釣竿の釣竿用チューブまたはチューブ内のいろいろな物体との衝突による釣竿の損傷の可能性を減らすことが一般的である。理解されるように、これは面倒で時間のかかるプロセスとなり得る。
【０００５】
既知の釣竿用チューブの他の欠点は、それらが破砕され易く、結果としてその中に収納された釣竿を損傷させることである。この問題は、重いゲージ材料からチューブを形成することによって対処される。重いゲージ材料の使用は、釣竿用チューブを製造するための重量とコストを増加させる。
【発明の概要】
【発明が解決しようとする課題】
【０００６】
本発明の目的は、前述の欠点の１つまたは複数を実質的に克服するか、少なくとも改善することである。
【課題を解決するための手段】
【０００７】
本発明の一態様は、少なくとも１つの細長い物品を保持するための収納装置を提供する。収納装置は、内壁面および外壁面を有し、開いた構成と閉じた構成との間で長手方向軸の周りに変形可能である壁であって、前述の閉じた構成は長手方向に延在するキャビティを画定する、壁と、前述の内壁面に結合されるかまたは一体的に形成され、略長手方向に延在する向きで、前述の細長い物品を受容し、かつ保持するように構成された、少なくとも１つの保持クリップとを含み、前述の閉じた構成で、前述の保持クリップおよび前述の保持クリップによって保持される任意の細長い物品は、前述のキャビティ内に配置され、前述の開いた構成で、前述の保持クリップにアクセスが提供され、それにより前述の細長い物品を受容し、前述の保持クリップから取り外すことができる。
【０００８】
好ましい形態では、収納装置は、前記閉じた構成で、前述の壁を解放可能に保持するように構成された解放可能なカップリングをさらに含む。
【０００９】
好ましい形態では、前述の壁は、長手方向に延在する複数の壁セクションを含み、前述の複数の壁セクションは、第１の端壁セクションと、第２の端壁セクションと、前述の第１の端壁セクションと前述の第２の端壁セクションとの間に配置された１つまたは複数の中間壁セクションとを含み、さらに、各壁セクションは、長手方向に延在する第１のエッジ部と、長手方向に延在する第２のエッジ部とを有する。
【００１０】
好ましい形態では、前述の複数の保持クリップは、前述の内壁面に結合されるか、または一体的に形成される。
【００１１】
好ましい形態では、前述の複数の保持クリップは、横方向に延在するセットに配置され、各セットは、隣接するセットから長手方向に離間される。
【００１２】
好ましい形態では、前述の壁が前述の閉じた構成にあるとき、各セットの隣接する保持クリップが前述の壁に支持を提供するように当接する。
【００１３】
好ましい形態では、各壁セクションは、前述の内壁面に結合された、または一体的に形成された各セットの１つの保持クリップを有する。
【００１４】
好ましい形態では、枢動カップリングが、隣接する壁セクションを枢動可能に結合する。
【００１５】
好ましい形態では、各中間壁セクションの前述の第１のエッジ部および前述の第２の端壁セクションの前述の第１のエッジ部はそれぞれ第１のカップリングプロファイルを含み、各中間壁セクションの前述の第２のエッジ部および前述の第１の端壁セクションの前述の第２のエッジ部はそれぞれ第２のカップリングプロファイルを含み、さらに、各枢動カップリングは、隣接する第２のカップリングプロファイルに係合する前述の第１のカップリングプロファイルの１つによって形成される。
【００１６】
好ましい形態では、前述の第１の端壁セクションの前述の第１のエッジ部は前述の第１のカップリングプロファイルを含み、前述の第２の端壁セクションの前述の第２のエッジ部は第３のカップリングプロファイルを含み、さらに、前述の第１の端壁セクションの前述の第１のカップリングプロファイルと前述の第２の端壁セクションの前述の第３のカップリングプロファイルとは前述の解放可能なカップリングを形成する。
【００１７】
好ましい形態では、各枢動カップリングは、隣接する壁セクションの枢動を前述の閉じた構成と前述の開いた構成との間に制限するように構成される。
【００１８】
好ましい形態では、各壁セクションは、均一なプロファイルを有する押出成形品の形態である。
【００１９】
好ましい形態では、収納装置は、前述の外壁面に結合された少なくとも１つの固定手段をさらに含み、各固定手段は、前述の解放可能なカップリングを横切って延在し、前述の壁を前述の閉じた構成で解放可能に固定する。
【００２０】
好ましい形態では、各固定手段は、ループがつまみと係合するときにループが前述の解放可能なカップリングを横切って延在するように、前述の外壁面に結合される、つまみとループとを含む。
【００２１】
好ましい形態では、収納装置は、各キャップセクションが各壁セクションの長手方向端部の１つに結合される複数のキャップセクションであって、各壁セクションの長手方向端部の１つに結合された各キャップセクションが協働し、キャビティの長手方向端部を閉じる、複数のキャップセクションをさらに含む。
【００２２】
好ましい形態では、各保持クリップは、前述の内壁面に結合可能な端部と、外側クリップ表面と、前述の細長い物品を受容するためであって、収納装置の長手方向に延在する第１の開口部と、前述の外側クリップ表面から前述の第１の開口部まで延在する第１のチャネルとを含み、前述の保持クリップは、前述の第１のチャネルが開位置と閉位置との間で構成可能であるように、変形可能であり、前述の開位置では、前述の第１のチャネルは、前述の細長い物品の前述の第１の開口部への出入りを可能にし、前述の閉位置では、前述の第１のチャネルは、前述の細長い物品の第１の開口部への出入りを阻害する。
【００２３】
好ましい形態では、各保持クリップは、前述の細長い物品を受容するためであって、収納装置の長手方向に延在する第２の開口部と、前述の外側クリップ表面から前述の第２の開口部まで延在する第２のチャネルとをさらに含み、前述の保持クリップは、前述の第２のチャネルが開位置と閉位置との間で構成可能であるように、変形可能であり、前述の開位置では、前述の第２のチャネルは、前述の細長い物品の前述の第２の開口部への出入りを可能にし、前述の閉位置では、前述の第２のチャネルは、前述の細長い物品の前述の第２の開口部への出入りを阻害する。
【００２４】
好ましい形態では、各保持クリップは、前述の内壁面に結合可能な端部と、外側クリップ表面と、前述の細長い物品を受容するためであって、収納装置の長手方向に延在する第１の保持凹部と、前述の保持クリップに枢動可能に結合され、開位置と閉位置との間で移動可能な第１の留め金とを含み、前述の開位置では、前述の第１の留め金は、前述の細長い物品が前述の第１の保持凹部に出入りすることを可能にし、前述の閉位置では、前述の第１の留め金が前述の第１の保持凹部を閉鎖し、それにより任意の細長い物品が前述の第１の保持凹部に出入りするのを阻害する。
【００２５】
好ましい形態では、各保持クリップは、前述の細長い物品を受容するためであって、収納装置の長手方向に延在する第２の保持凹部と、前述の保持クリップに枢動可能に結合され、開位置と閉位置との間で移動可能な第２の留め金とをさらに含み、前述の開位置では、前述の第２の留め金は、前述の細長い物品が前述の第２の保持凹部に出入りすることを可能にし、前述の閉位置では、前述の第２の留め金が前述の第２の保持凹部を閉鎖し、それにより任意の細長い物品が前述の第２の保持凹部に出入りするのを阻害する。
【００２６】
好ましい形態では、各保持クリップは、前述の内壁面に取り外し可能に結合される。
好ましい形態では、各保持クリップが第１の材料で形成され、前述の壁が第２の材料で形成され、前述の第１の材料が前述の第２の材料よりも軟質である。
【００２７】
好ましい形態では、収納装置は、外壁面に結合されたハンドルまたはストラップをさらに含む。
【００２８】
添付の図面を参照して、本発明の好適な実施形態を実施例によってのみ説明するが、図面において、同様の参照番号は、図面を通して同様の特徴部を示す。
【図面の簡単な説明】
【００２９】
【図１】図１は、開いた構成の収納装置の第１の実施形態の斜視図である。
【図２】図２は、閉じた構成の図１の収納装置の斜視図である。
【図３】図３は、閉じた構成の図１の収納装置の端面図である。
【図４】図４は、開いた構成の図１の収納装置の端面図である。
【図５】図５Ａ〜Ｅは、図１の収納装置の壁セクションの切頭部分の図である。
【図６】図６Ａ〜Ｆは、図１の収納装置の保持クリップの第１の実施形態の図である。
【図７】図７は、キャップセクションを有する図１の収納装置のエンド部分の部分斜視図である。
【図８】図８Ａ〜Ｆは、第１の実施形態による図７の単一キャップセクションの様々な図である。
【図９】図９Ａ〜Ｄは、図１の収納装置のエンド部分に結合される一連の段階中の図８Ａ〜Ｄのキャップセクションを示す。
【図１０Ａ】図１０Ａは、固定手段が係合された閉じた構成の図１の収納装置の斜視図である。
【図１０Ｂ】図１０Ｂは、固定手段が係合解除された閉じた構成の図１の収納装置の斜視図である。
【図１０Ｃ】図１０Ｃは、開いた構成での図１の収納装置の斜視図である。
【図１０Ｄ】図１０Ｄは、開いた構成での図１の収納装置の斜視図である。
【図１１】図１１Ａ〜Ｃは、図１の収納装置を閉じる最後の段階を示す。
【図１２】図１２は、図１の収納装置に取り外し可能に結合された釣り用リールの斜視図である。
【図１３】図１３は、図１２の部分断面図である。
【図１４】図１４ＡおよびＢは、保持クリップの第２の実施形態を示す。
【図１５】図１５ＡおよびＢは、保持クリップの第３の実施形態を示す。
【図１６】図１６Ａ〜Ｃは、それぞれ閉じた構成、部分的に開いた構成、開いた構成の収納装置の第２の実施形態を示す。
【図１７】図１７Ａ〜Ｄは、図１６Ａ〜Ｃの収納装置の壁セクションの切頭部分の図である。
【図１８】図１８Ａ〜Ｄは、図１６Ａ〜Ｃの収納装置の単一キャップセクションの様々な図である。
【図１９】図１９Ａ〜Ｄは、図１６Ａ〜Ｃの収納装置で使用するための保持クリップの第３の実施形態の図である。
【図２０】図２０Ａ〜Ｄは、図１６Ａ〜Ｃの収納装置のエンド部分に結合される一連の段階中の図１８Ａ〜Ｄのキャップセクションを示す。
【図２１】図２１Ａ〜Ｃは、図１６Ａ〜Ｃの収納装置の壁セクションの内面に結合される一連の段階中の、図２０Ａ〜Ｄの保持クリップを示す。
【図２２】図２２は、図１６Ａ〜Ｃの収納装置の開いた構成の端面図である。
【図２３】図２３は、閉じた構成の図１６Ａ〜Ｃの収納装置の端面図である。
【図２４】図２４Ａ〜Ｃは、それぞれ閉鎖された部分的に開いた構成の収納装置の第３の実施形態を示す。
【図２５】図２５Ａ〜Ｄは、図２４Ａ〜Ｃの収納装置の壁セクションの切頭部分の図である。
【図２６】図２６Ａ〜Ｄは、図２４Ａ〜Ｃの収納装置の単一キャップセクションの様々な図である。
【図２７】図２７Ａ〜Ｄは、図２４Ａ〜Ｃの収納装置で使用するための保持クリップの第４の実施形態の図である。
【図２８】図２８Ａ〜Ｄは、図２４Ａ〜Ｃの収納装置のエンド部分に結合される一連の段階中の図２６Ａ〜Ｄのキャップセクションを示す。
【図２９】図２９Ａ〜Ｃは、図２４Ａ〜Ｃの収納装置の壁セクションの内面に結合される一連の段階中の、図２６Ａ〜Ｄの保持クリップを示す。
【図３０】図３０は、開いた構成の図２４Ａ〜Ｃの収納装置の端面図である。
【図３１】図３１は、閉じた構成の図２４Ａ〜Ｃの収納装置の端面図である。
【図３２】図３２Ａ〜Ｃは、図１６Ａ〜Ｃの収納装置に取り外し可能に結合された釣り用リールの図である。
【図３３】図３３Ａ〜Ｆは、第２の実施形態によるハンドルの図である。
【発明を実施するための形態】
【００３０】
図１および図２は、第１の実施形態による１つまたは複数の釣竿１０を、開いた構成および閉じた構成でそれぞれ収納および／または運搬するための収納装置１００を示す。
【００３１】
釣竿１０は、釣竿１０を形成するように相互連結する複数の釣竿セグメントを含んでもよいことが理解される。したがって、明細書中の「釣竿１０」に対するさらなる参照は、完全な釣竿または釣竿セグメントのいずれかを指すと理解される。
【００３２】
収納装置１００は、内面と外面とを有する壁１０１を有する。この実施形態では、壁１０１は、６つの壁セクション１０２、１０４、１０６を含み、各壁セクションは、隣接する壁セクションに枢動可能に結合される。壁１０１は、開いた構成と閉じた構成との間で変形可能な単一の壁セクション、または任意の数の壁セクションを含んでもよいことも想定される。さらに、壁１０１を形成する壁セクションの数は、収納装置１００に収納および／または運搬される必要がある釣竿１０の数に応じて変化し得ることが想定される。壁１０１は、開いた構成および閉じた構成を変形可能である。閉じた構成では、壁１０１は、参照番号１５２（図３参照）によって全体的に示される、長手方向に延在するキャビティを画定する。壁セクションは、例えば、金属／合金（すなわちアルミニウム）または硬質プラスチック（例えば、ポリプロピレン、高密度ポリエチレンなど）から形成される押出成形品の形態である。壁セクションは、射出成形または炭素繊維から形成されてもよいことも想定される。
【００３３】
収納装置１００はまた、壁１０１の内面に取り付けられた複数の保持クリップ１３２を有する。保持クリップ１３２は、釣竿１０を長手方向に延在する向きに取り外し可能に保持する。この実施形態では、保持クリップ１３２は壁１０１から取り外し可能であるが、保持クリップ１３２が壁１０１と一体的に形成されてもよいと想定される。保持クリップ１３２は、例えば、高密度フォーム（例えば、中〜高密度のポリウレタンフォーム）で形成される。
【００３４】
壁１０１が閉じた構成にあるとき、保持クリップ１３２および保持クリップ１３２によって保持される任意の釣竿１０は、キャビティ１５２内に配置される。壁１０１が開いた構成にあるとき、釣竿１０が保持クリップ１３２から取り外され、かつ／または保持クリップ１３２によって受容されるように、保持クリップ１３２にアクセスが提供される。
【００３５】
図１を参照すると、壁１０１は、第１の端壁セクション１０２と、第２の端壁セクション１０４と、第１の端壁セクション１０２と第２の端壁セクション１０４との間に配置された複数の中間壁セクション１０６とを含む。
【００３６】
図５Ａ〜Ｅは、代表的な壁セクションの切頭部分を示す。点線で示された特徴部（以下に詳細に説明する）は、第１の端壁セクション１０２および各中間壁セクション１０６の一部を形成するが、第２の端壁セクション１０４の一部を形成しない。したがって、図示された実施形態では、点線で示された特徴部を含まない第２の端壁セクション１０４を除いて、各壁セクションが同一であることが理解されよう。
【００３７】
各壁セクションは、均一な押出プロファイル１２３を有する押出成形品の形態である。各壁セクションの外壁面１１８は、壁セクションの長さに延在する長手方向の凹部１２２を有する。凹部１２２は、壁セクションの内壁面１２０に対応する長手方向突起部１２４を形成する。内壁面１２０は、一対の傾斜した突起１２６をさらに含む。傾斜した突起１２６と共に長手方向突起部１２４は、長手方向突起部１２４の両側に嵌合チャネル１２９を画定する。各嵌合チャネル１２９の表面は、外壁面１１８に対向する歯１２８を有する。内壁面１２０と外壁面１１８は、共に押出プロファイル１２３を形成する。
【００３８】
図３を参照すると、第１のカップリングプロファイル１０８は、各壁セクションの長手方向の第１のエッジ部に沿って延在する。第２の端壁セクション１０４とは別に、第２のカップリングプロファイル１１０は、各壁セクションの長手方向の第２のエッジ部に沿って延在する。第２の端壁セクション１０４の場合、第３のカップリングプロファイル１１２は、長手方向の第２のエッジ部に沿って延在する。
【００３９】
第１のカップリングプロファイル１０８は、第１の弧状アーム１０９と第１の当接面１１９とを含み、第２のカップリングプロファイル１１０は、第２の弧状アーム１１３と、リップ１１５と、第２の当接面１２１とを含む。図３から理解されるように、第３のカップリングプロファイル１１２は、第２のカップリングプロファイル１１０と同様であるが、第２の弧状アーム１１３を含まない。図５Ｃを参照すると、第２の弧状アーム１１３および第２のカップリングプロファイル１１０のリップ１１５は、スロット１１７を画定する。したがって、図示された実施形態では、各壁セクションが同一形状で製造でき、第２の弧状アーム１１３が引き続き壁セクションの１つから取り外され、第２の端壁セクション１０４を生成することが理解されよう。
【００４０】
図３を参照すると、第１の端壁セクション１０２とは別に、各壁セクションの第１のカップリングプロファイル１０８の第１の弧状アーム１０９は、隣接する壁セクションの第２のカップリングプロファイル１１０のスロット１１７内に摺動可能に受容され、容易に解放できない枢動カップリング１１４を形成する。第２の端壁セクション１０４の第３のカップリングプロファイル１１２は、第１の端壁セクション１０２の第１のカップリングプロファイル１０８に解放可能に係合して、解放可能なカップリング１１６を形成する。しかし、解放可能なカップリング１１６は、他の手段によって形成されてもよいことが想定される。
【００４１】
図１を参照すると、収納装置１００は、第１の実施形態に従った端部要素１３０および保持クリップ１３２をさらに含む（それぞれのうちの１つだけが図示を明確にするためにラベル付けされる）。図６Ａ〜Ｆを参照すると、各保持クリップ１３２は、係合端部１３４、外側クリップ表面１３６および開口部１３８を有する。チャネル１４０が、外側クリップ表面１３６から開口部１３８まで延在する。図３および図４を参照すると、端部要素１３０は、保持クリップ１３２と同様であるが、開口部１３８およびチャネル１４０を含まない。
【００４２】
好ましい実施形態では、壁１０１は、端部要素１３０および保持クリップ１３２を形成する材料よりも硬い材料で形成される。端部要素１３０および保持クリップ１３２は、それらがある程度変形することができる材料で形成される。端部要素１３０は、保持クリップ１３２の材料と同じ材料または異なる材料から形成されてもよいことが想定される。したがって、各保持クリップ１３２は、チャネル１４０が開位置と閉位置との間で構成可能であるように変形可能である。チャネル１４０が閉位置にあるとき、チャネル１４０には依然として隙間が存在し得る。しかしながら、チャネル１４０が閉位置にあるとき、チャネル１４０内のいかなる隙間も、釣竿１０が開口部１３８に出入りするのを阻害するのに十分狭くなることは理解されよう。
【００４３】
図７を参照すると、収納装置１００は、複数のキャップセクション１５４をさらに含むことができる。図８Ａ〜Ｆを参照すると、各キャップセクション１５４は、外側端面１５６、突起カバー部１５７、外側フランジ１５８、空隙１５９および内側キャップ面１６０を有する。外側フランジ１５８および内側キャップ面１６０は、共に、嵌合プロファイル１６２を形成する。
【００４４】
図２を参照すると、収納装置１００は、１つまたは複数の固定手段１４２およびハンドル１５０をさらに含むことができる。各固定手段１４２は、つまみ１４４およびループ１４６を含む。固定手段１４２は、折り畳み留め機構、または他の適切な固定機構の形態であってもよいことも想定される。ハンドル１５０の代わりに、またはハンドル１５０と組み合わせて、持ち運び用ストラップを利用することがさらに想定される。
【００４５】
図３を参照すると、各つまみ１４４および各ループ１４６は、それらを壁セクションの外壁面１１８に取り付けるための取り付けキー１４８を有する。図示されていないが、ハンドル１５０はまた、取り付けキー１４８を有する。
【００４６】
次に、収納装置１００の組み立てについて説明する。図１を参照すると、枢動カップリング１１４は、２つの端部中間壁セクション１０６ａおよび１０６ｂを除いて、各中間壁セクション１０６を隣接する中間壁セクション１０６に結合する。枢動カップリング１１４は、中間壁セクション１０６ｂを第１の端壁セクション１０２に結合し、別の枢動カップリング１１４が中間壁セクション１０６ｂを隣接する中間壁セクション１０６に結合する。同様に、枢動カップリング１１４は中間壁セクション１０６ａを第２の端壁セクション１０４に結合し、別の枢動カップリング１１４が中間壁セクション１０６ａを隣接する中間壁セクション１０６に結合する。全ての壁セクションが共に壁１０１を形成する。
【００４７】
図３および図４を参照すると、各枢動カップリング１１４は、壁１０１が開いた構成から閉じた構成に変形されることを可能にする。各枢動カップリング１１４について、壁１０１が閉じた構成にあるとき、第１のカップリングプロファイル１０８の第１の弧状アーム１０９は、第２のカップリングプロファイル１１０のスロット１１７の閉鎖端部に当接し、第２のカップリングプロファイル１１０の第２の弧状アーム１１３は、隣接する壁セクションの内壁面１２０に当接し、それにより、閉じた構成以上に隣接する壁セクションが更なる枢動するのを制限する。各枢動カップリング１１４について、壁１０１が開いた構成にあるとき、第１のカップリングプロファイル１０８の第１の当接面１１９は、第２のカップリングプロファイル１１０の第２の当接面１２１に当接し、それにより、開いた構成以上に隣接する壁セクションが更なる枢動するのを制限する。したがって、枢動カップリング１１４は、隣接する壁セクションの枢動を、開いた構成と閉じた構成との間に制限することが理解されよう。
【００４８】
図３を参照すると、解放可能なカップリング１１６は、閉じた構成で壁１０１を解放可能に保持する。図４を参照すると、枢動カップリング１１４は、壁１０１が開いた構成にあるとき、壁１０１が少なくとも実質的に平坦であるように、隣接する壁セクションの枢動を制限する。
【００４９】
図１を参照すると、端部要素１３０が各壁セクションの端部で内壁面１２０に結合され、保持クリップ１３２が端部要素１３０の間の内壁面１２０に結合される。図５Ｃおよび６Ｃに見られるように、端部要素１３０および保持クリップ１３２の内壁面１２０および係合端部１３４は相補的なプロファイルを有する。端部要素１３０および保持クリップ１３２は、各端部要素１３０および各保持クリップ１３２の係合端部１３４をそれぞれの壁セクションの内壁面１２０に嵌合することによって、それぞれの壁セクションに結合される。各端部要素１３０および各保持クリップ１３２が、それぞれの壁セクションの内壁面１２０に結合された後、それらを内壁面１２０に沿って摺動させることによって壁セクション上の任意の所望の位置に移動させることができる。端部要素１３０および保持クリップ１３２のそれぞれを壁セクションから取り外すことができることが理解されよう。
【００５０】
図１を参照すると、各壁セクションの端部要素１３０は、壁１０１の各長手方向端部で横方向に延在する端部要素セット１３１を形成するように配置される。同様に、各壁セクションの保持クリップ１３２は、端部要素セット１３１の間で長手方向に離間して配置される、横方向に延在する保持クリップセット１３３を形成するように配置される。
【００５１】
図３および図４を参照すると、各嵌合チャネル１２９の歯１２８は、各端部要素１３０および各保持クリップ１３２の係合端部１３４と係合して、端部要素１３０および保持クリップ１３２が内壁面１２０から引き離されるのを防ぐ。
【００５２】
つまみ１４４の取り付けキー１４８、ループ１４６およびハンドル１５０は、各壁セクションの長手方向の凹部１２２の形状と相補的なプロファイルを有する。図２に見られるように、各つまみ１４４の取り付けキー１４８は、第１の端壁セクション１０２の長手方向の凹部１２２によって受容され、それにより各つまみ１４４を第１の端壁セクション１０２に結合する。同様に、各ループ１４６の取り付けキー１４８は、第２の端壁セクション１０４の長手方向の凹部１２２によって受容され、それにより各ループ１４６を第２の端壁セクション１０４に結合する。つまみ１４４およびそのそれぞれのループ１４６は、それぞれの長手方向の凹部１２２に沿って互いに整列するまで動かされ、それによりループ１４６がつまみ１４４に係合することを可能にする。ハンドル１５０の取り付けキー１４８は、第１の端壁１０２の長手方向の凹部１２２によって受容され、それによりハンドル１５０を第１の端壁セクション１０２に結合する。つまみ１４４、ループ１４６、およびハンドル１５０は、他の壁セクションに結合することができることが理解されよう。
【００５３】
図５Ｃおよび図８Ｆを参照すると、各壁セクションの押出プロファイル１２３および各キャップセクション１５４の嵌合プロファイル１６２は相補的であることが分かる。図７を参照すると、各キャップセクション１５４は、キャップセクション１５４の嵌合プロファイル１６２を壁セクションの長手方向端部に嵌合することによって、壁セクションの長手方向端部に結合される。各キャップセクション１５４の外側フランジ１５８は、それが結合される壁セクションの外壁面１１８に当接することが分かる。
【００５４】
図９Ａ〜Ｄは、壁セクション１０６の長手方向端部の１つに結合される、一連の段階中の隣接するキャップセクション１５４ｂおよび１５４ｄ、および壁セクション１０６の長手方向端部の他方に結合される、一連の段階中の隣接するキャップセクション１５４ａおよび１５４ｃを示す。これらの図から理解されるように、キャップセクション１５４ａおよび１５４ｃは、キャップセクション１５４ｂおよび１５４ｄの鏡像である。
【００５５】
図９Ｂを参照すると、キャップセクション１５４ａおよび１５４ｂが壁セクション１０６の１つのそれぞれの端部に結合されるとき、各キャップセクション１５４ａおよび１５４ｂの突起カバー部１５７は、隣接する壁セクション１０６の間に形成される枢動カップリング１１４のそれぞれの端部を覆う。図９Ｃおよび９Ｄを参照すると、キャップセクション１５４ｃおよび１５４ｄが壁セクション１０６の他方の端部に結合されると、キャップセクション１５４ａおよび１５４ｂの突起カバー部１５７は、キャップセクション１５４ｃおよび１５４ｄの空隙１５９にそれぞれ受容される。
【００５６】
図７および図９Ａ〜Ｄから理解されるように、壁１０１が閉じた構成にあるとき、壁セクション１０４のいずれかの端部に結合されたキャップセクション１５４の突起カバー部１５７は、解放可能なカップリング１１６のそれぞれの端部を覆う。これらの図からも分かるように、壁１０１が開いた構成にあるとき、壁セクション１０４のいずれかの端部に結合されたキャップセクション１５４の突起カバー部１５７は、第３のカップリングプロファイル１１２のそれぞれの端部を覆う。
【００５７】
次に、収納装置１００の使用について説明する。図１を参照すると、壁１０１が開いた構成にあるとき、アクセスが保持クリップ１３２に提供され、それにより釣竿１０を受容し、保持クリップ１３２から取り外すことが可能になる。釣竿１０は、その壁セクションに結合された各保持クリップ１３２を変形させて各チャネル１４０を開位置に拡張することによって、一方の壁セクションの保持クリップ１３２によって受容される。開位置では、チャネル１４０は、釣竿１０を保持クリップ１３２の開口部１３８に出入りさせることができる。閉位置では、チャネル１４０は、釣竿１０を保持クリップ１３２の開口部１３８に出入りするのを阻害する。図１からわかるように、各釣竿１０は、長手方向に延在する向きに保持される。壁１０１が開いた構成にあるとき、ループ１４６は、表面１２（例えば壁の表面）内の釘１４と係合して、それにより収納装置１００を表面１２に吊り下げることができる。
【００５８】
図３を参照すると、壁１０１を閉じた構成に変形することは、第１の端壁セクション１０２の第１のカップリングプロファイル１０８が第２の端壁セクション１０４の第３のカップリングプロファイル１１２と係合するまで各壁セクションを枢動させることによって達成され、それにより解放可能なカップリング１１６を形成する。壁１０１が閉じた構成にあるとき、保持クリップ１３２および保持クリップ１３２によって保持される任意の釣竿１０は、キャビティ１５２内に配置される。
【００５９】
閉じた構成では、各端部要素セット１３１の隣接する端部要素１３０および各保持クリップセット１３３の隣接する保持クリップ１３２は当接して、それぞれ収納装置１００を支持する。端部要素１３０は、壁１０１が開いた構成または閉じた構成のいずれかにあるときに、保持クリップ１３２によって保持された釣竿１０が収納装置１００から長手方向に滑り落ちることを防止することが理解されよう。壁１０１が閉じた構成にあるとき、各端部要素セット１３１は、キャビティ１５２の一方の長手方向端部を実質的に閉じる。
【００６０】
上述のように、解放可能なカップリング１１６は、閉じた構成で壁１０１を解放可能に保持する。解放可能なカップリング１１６が形成されると、各ループ１４６は解放可能なカップリング１１６を横切って延在し、つまみ１４４に係合する。固定手段１４２は、解放可能なカップリング１１６が不用意に分離した場合でも、壁１０１が自発的に開いた構成に変形しないよう、壁１０１を閉じた構成に解放可能に固定する。
【００６１】
図７を参照すると、壁１０１が閉じた構成にあるとき、各壁セクションの長手方向端部の１つに結合されたキャップセクション１５４のそれぞれが協働して、キャビティ１５２の長手方向端部を閉じる。キャップセクション１５４は、壁１０１が閉じた構成にあるときに、収納装置１００によって保持された釣竿１０を損傷する可能性のある異物がキャビティ１５２に侵入するのを防止する。キャップセクション１５４はまた、壁セクションの端部への損傷を防止する。収納装置１００は、キャップセクション１５４を有さない端部要素１３０、または端部要素１３０を有さないキャップセクション１５４を含んでもよいことが想定される。
【００６２】
図１０Ａは、解放可能なカップリング１１６が壁１０１を閉じた構成に保持し、ループ１４６がそれぞれのつまみ１４４と係合し、それにより壁１０１を閉じた構成に固定する、閉じた構成の収納装置１００を示す。図１０Ｂにおいて、ループ１４６は、それぞれのつまみ１４４から分離されており、解放可能なカップリング１１６は切り離すことができる。図１０ＣおよびＤは、解放可能なカップリング１１６が切り離され、壁セクションが開いた構成に旋回可能に移動した後の、開いた構成の壁１０１を示す。
【００６３】
図１１Ａ〜Ｃは、壁１０１を閉じた構成に変形させる最後の段階を示す。図１１Ａでは、壁１０１の各壁セクションは、第２の端壁セクション１０４を除いて、それぞれの閉じた構成位置に旋回可能に移動した状態を示す。この図から分かるように、第１の端壁セクション１０２の第１のカップリングプロファイル１０８は、第２の端壁セクション１０４の第３のカップリングプロファイル１１２から遠位にある。図１１Ｂでは、第２の端壁セクション１０４は、第１の端壁セクション１０２の第１のカップリングプロファイル１０８が第２の端壁セクション１０４の第３のカップリングプロファイル１１２に近接するように旋回可能に移動した状態を示す。図１１Ｃは、第１の端壁セクション１０２の第１のカップリングプロファイル１０８が第２の端壁セクション１０４の第３のカップリングプロファイル１１２に係合して解放可能なカップリング１１６を形成していることを示す。解放可能なカップリング１１６を切り離し、上記のステップを逆の順序で実行することにより、壁１０１を閉じた構成から開いた構成に変形させることが理解されよう。
【００６４】
各壁セクションは、枢動カップリング１１４を切り離すことによって、隣接する壁セクションから切り離すことができる。これにより、壁セクションが破損した場合に壁セクションを交換したり、壁１０１を構成する壁セクションの数を増減させたりすることができる。より多くの釣竿１０を収納装置１００に収納および／または運搬する必要がある場合、より多くの中間壁セクション１０６を共に結合して所望の要件を満たすことができる。しかしながら、収納装置１００内に収納および／または運搬される必要のある釣竿が少なくても、所望の要件を満たすために中間壁セクション１０６を取り外すことができる。
【００６５】
理解されるように、壁１０１の壁セクションの数を増減することにより、壁１０１が閉じた構成にあるときに壁１０１の形状が変化する。したがって、端部要素１３０および保持クリップ１３２は、存在する壁セクションの数に応じて入れ替えることができる。これにより、任意の数の壁セクションを含む壁１０１が閉じた構成にあるときに、それぞれの端部要素セット１３１および保持クリップセット１３３の隣接する端部要素１３０および保持クリップ１３２が、収納装置１００を支持するために当接することが可能になる。
【００６６】
図１２および１３は、壁セクション１０２、１０４、１０６の１つに取り外し可能に結合された釣り用リール１６４を示す。リール１６４は、ステム部１６６と一対の係合フランジ１６８とを有する。リール１６４は、一対の固定ブラケット１７０と締結具１７８によって壁セクションに結合される。
【００６７】
図１３を参照すると、各固定ブラケット１７０は、一対の拡大された脚部１７２とねじ付き開口部１７４とを有する。各脚部１７２は、壁セクションの嵌合チャネル１２９の１つと相補的なプロファイルを有することが分かる。各締結具１７８は、エンド部分１７９と、固定ブラケット１７０の１つのねじ付き開口部１７４と係合するように構成されたねじ部１８０とを有する。
【００６８】
次に、釣り用リール１６４の壁セクション１０６への結合について説明する。各固定ブラケット１７０の各脚１７２は、壁セクションの対応する嵌合チャネル１２９によって摺動可能に受容され、それにより、各固定ブラケット１７０を壁セクションに摺動可能に結合する。壁セクションに結合されると、各固定手段１７０は、壁セクションの長手方向突起部１２４を有する通路１７６を画定する。釣り用リール１６４の係合フランジ１６８は、係合フランジ１６８が壁セクションの長手方向突起部１２４に当接するように、２つの固定ブラケット１７０の間に配置される。各固定ブラケット１７０は、釣り用リール１６４の各係合フランジ１６８がそれぞれの固定ブラケット１７０によって画定された通路１７６に受容されるまで、壁セクションに沿って摺動する。
【００６９】
固定ブラケット１７０が所定の位置に来た後、各締結具１７８は、締結具１７８のねじ部１８０がねじ付き開口部１７４に螺合するように、固定ブラケット１７０のねじ付き開口部１７４に挿入される。各締結具１７８は、締結具１７８のエンド部分１７９がそれぞれの固定ブラケット１７０を通過して長手方向突起部１２４に当接するまで回転される。締結具１７８のエンド部分１７９が長手方向突起部１２４に一旦当接すると、締結具１７８を締め付けることにより、固定ブラケット１７０の脚部１７２がそれぞれの嵌合チャネル１２９内にしっかりと係合されるように、固定ブラケット１７０が壁セクション１０６から離れるようにさらに押し込まれ、それにより固定ブラケット１７０および釣り用リール１６４を壁セクションに沿って定位置に固定する。複数の釣り用リール１６４は、収納装置１００の壁セクションのいずれかに、およびそれに沿った任意の場所に取り外し可能に結合され得ることが想定される。
【００７０】
タックルボックスのような小さな収納ボックスもまた、上述した釣り用リール１６４のものと同様の方法で壁セクションに取り外し可能に結合することができると想定される。さらに、釣り用リール１６４と収納ボックスとの組み合わせが、収納装置１００の壁セクションに取り外し可能に結合されてもよいことが想定される。壁１０１が閉じた構成にあるとき、壁セクションに取り外し可能に結合された任意の釣り用リール１６４および／または収納ボックスは、キャビティ１５２内に配置される。
【００７１】
図１４ＡおよびＢは、収納装置１００で使用するための保持クリップ１３２の第１の変形例による保持クリップ２３２を示す。保持クリップ２３２は、保持クリップ１３２と同様であるが、２つの開口部２３８ａおよび２３８ｂを有する。各開口部２３８ａおよび２３８ｂは、それぞれチャネル２４０ａおよび２４０ｂを有する。保持クリップ２３２は、各々がそれぞれの開口部２３８ａ、２３８ｂ内に２つの釣竿１０を保持することができることが理解されよう。保持クリップ１３２と同一または同等の保持クリップ２３２の特徴には、保持クリップ１３２と同等であるが、１００だけ増加される参照番号が付される。保持クリップ１３２と保持クリップ２３２との間で同一の特徴については、保持クリップ１３２に関するこれらの特徴の上記の説明は、保持クリップ２３２に見られる対応する同一の／等価な特徴にも適用可能であることが理解されよう。したがって、保持クリップ１３２と保持クリップ２３２との間の同一の特徴は、保持クリップ２３２のこれらの特徴が保持クリップ１３２に関して既に上述されているので、保持クリップ２３２に関して再度説明しない。
【００７２】
図１５ＡおよびＢは、収納装置１００で使用するための保持クリップ１３２の第２の変形例による保持クリップ３３２を示す。保持クリップ３３２は、保持クリップ１３２と同様であるが、単一のオフセット開口部３３８のみを有する。開口部３３８は、対応するチャネル３４０を有する。保持クリップ１３２と同一または同等の保持クリップ３３２の特徴には、保持クリップ１３２と同等であるが、２００だけ増加される参照番号が付される。保持クリップ１３２と保持クリップ３３２との間で同一の特徴については、保持クリップ１３２に関するこれらの特徴の上記の説明は、保持クリップ３３２に見られる対応する同一の／同等の特徴にも適用可能であることが理解されよう。したがって、保持クリップ１３２と保持クリップ３３２との間の同一の特徴は、保持クリップ３３２のこれらの特徴が保持クリップ１３２に関して既に上述されているので、保持クリップ３３２に関して再度説明しない。
【００７３】
ユーザの特定の需要を満たすために、任意の数および／または組み合わせの保持クリップ１３２、２３２、および３３２が、収納装置１００の壁１０１に結合され得ることが想定される。
【００７４】
図１６Ａ〜Ｃは、第２の実施形態による１つまたは複数の釣竿１０を、それぞれ閉じた構成、部分的に開いた構成、および開いた構成で収納および／または運搬するための収納装置４００を示す。収納装置４００は、収納装置１００と同様である。しかしながら、収納装置４００は、収納装置４００の壁４０１を形成する壁セクション４０２、４０４、４０６が異なる押出プロファイル４２３を有する点で、収納装置１００と異なる。収納装置４００はまた、異なる端末キャップ４５４および保持クリップ５３２を有し、収納装置１００の端部要素１３０を有さない。
【００７５】
収納装置１００と同一または同等の収納装置４００の特徴には、収納装置１００と同等であるが、３００だけ増加される参照番号が付される。収納装置１００と収納装置４００との間で同一の特徴については、収納装置１００に関するこれらの特徴の上記の説明は、収納装置４００に見られる対応する同一／同等の特徴にも適用可能であることが理解されよう。したがって、収納装置１００と収納装置４００との間の同一の特徴は、収納装置４００に関する特徴が収納装置１００に関し既に上述されているので、収納装置４００に関して以下で再び説明しない。
【００７６】
図１７Ａ〜Ｂは、壁セクション４０２／４０６の切頭部分を示し、図１７Ｃ〜Ｄは、壁セクション４０４の切頭部分を示す。壁セクション４０２、４０４、４０６は、それぞれ収納装置１００の壁セクション１０２、１０４、１０６に類似しているが、収納装置１００の壁セクションの傾斜した突起１２６を含まない。
【００７７】
収納装置４００の壁セクション４０２、４０４、４０６は、長手方向突起部４２４の長手方向エッジ部に沿って延在する第１のフランジ４８１ａと、第２のフランジ４８１ｂとをさらに含む。第１のフランジ４８１ａおよび第２のフランジ４８１ｂは、それぞれリップ４８２ａおよびリップ４８２ｂを有する。リップ４８２ａおよび４８２ｂのそれぞれは、第１のフランジ４８１ａおよび第２のフランジ４８２ｂの長さにわたって延在する。
【００７８】
図１８Ａ〜Ｄは、収納装置４００で使用するためのキャップセクション４５４を示す。キャップセクション４５４は、収納装置１００のキャップセクション１５４と同様である。キャップセクション４５４の内側面４６０は、部分４８４によって画定される空間４８３を含む。孔４９２は、部分４８４を貫通して延在する。
【００７９】
図１９Ａ〜Ｄは、収納装置４００で使用するための保持クリップ５３２を示す。保持クリップ５３２は、保持クリップ２３２と同様である。しかし、保持クリップ５３２は、保持クリップ２３２のチャネル２４０ａおよび２４０ｂを有さず、代わりに、第１の保持凹部５９６ａおよび第２の保持凹部５９６ｂをそれぞれ閉じる第１の留め金５８５ａおよび第２の留め金５８５ｂを有する。さらに、保持クリップ５３２の係合端部５３４は、保持クリップ２３２の係合端部２３４と異なる。保持クリップ５３２は、壁セクション４０２、４０４、４０６と同じ材料または任意の他の適切な材料から形成されてもよいことが想定される。保持クリップ５３２は、別個に形成される必要がある第１の留め金５８５ａおよび第２の留め金５８５ｂから分離され、壁セクション４０２、４０４、４０６と一体的に形成されてもよいことも想定される。
【００８０】
保持クリップ２３２と同一または同等の保持クリップ５３２の特徴には、保持クリップ２３２と同等であるが、３００だけ増加される参照番号が付される。保持クリップ２３２と保持クリップ５３２との間で同一の特徴については、保持クリップ２３２に関するこれらの特徴の上記の説明は、保持クリップ５３２に見られる対応する同一の／等価な特徴にも適用可能であることが理解されよう。したがって、保持クリップ２３２と保持クリップ５３２との間の同一の特徴は、保持クリップ５３２のこれらの特徴が保持クリップ２３２に関して既に上述されているので、保持クリップ５３２に関して以下で再び説明しない。
【００８１】
保持クリップ５３２の係合プロファイル５３４は、第１の凹部５８３ａおよび第２の凹部５８３ｂによって部分的に画定される。第１の凹部５８３ａはスリット５８４ａを有し、第２の凹部５８３ｂはスリット５８４ｂを有する。スリット５８３ａは、スリット５８３ｂと反対の方向に対向していることが分かる。第１の凹部５８３ａおよび第２の凹部５８３ｂは、壁セクション４０２、４０４、４０６の長手方向突起部４２４の幅と実質的に等しい幅を有する。
【００８２】
第１の留め金５８５ａおよび第２の留め金５８５ｂは、保持クリップ５３２に枢動可能に結合され、開位置と閉位置との間で移動可能である。図１９ＡおよびＢを参照すると、閉位置において、第１の留め金５８５ａおよび第２の留め金５８５ｂは、それぞれ、第１の保持凹部５９６ａおよび第２の保持凹部５９６ｂを閉鎖する。図１９ＣおよびＤを参照すると、開位置において、第１の留め金５８５ａおよび第２の留め金５８５ｂは、それぞれ、第１の保持凹部５９６ａおよび第２の保持凹部５９６ｂへのアクセスを可能にする。
【００８３】
保持クリップ５３２は、第１の対の窪み５８６ａと第２の対の窪み５８６ｂとを有する。第１の留め金５８５ａは、一対のバンプ５８７ａを有し、第２の留め金５８５ｂは、一対のバンプ５８７ｂを有する。閉位置では、一対のバンプ５８７ａは、一対の窪み５８６ａの個々の１つにスナップ嵌め式に受容され、それにより第１の留め金５８５ａを閉位置に固定する。同様に、一対のバンプ５８７ｂは、一対の窪み５８６ｂの個々の１つにスナップ嵌め式に受容され、それにより第２の留め金５８５ｂを閉位置に固定する。
【００８４】
保持クリップ５３２は、保持クリップ５３２の係合端部５３４を、保持クリップ１３２の係合端部１３４と略同一の係合端部に置き換えることによって、収納装置１００で使用することができることが理解されよう。
【００８５】
次に、収納装置４００の組み立てについて説明する。収納装置４００のアセンブリは、収納装置１００のアセンブリと実質的に同様であることが理解されよう。したがって、収納装置１００のものと同一の収納装置４００の組み立ての態様は、収納装置１００に関して既に上述されているので、以下で再び説明しない。
【００８６】
図２０Ａを参照すると、キャップセクション４５４ａおよび４５４ｂは、キャップセクション４５４ａおよび４５４ｂの嵌合プロファイル４６２ａおよび４６２ｂを壁セクション４０４の長手方向端部にそれぞれ嵌合することによって、長手方向壁セクション４０４のそれぞれの端部に結合される。図２０Ｂを参照すると、キャップセクション４５４ａおよび４５４ｂの外側フランジ４５８ａおよび４５８ｂが壁セクション４０４の外壁面４１８に当接することが分かる。キャップセクション４５４ａおよび４５４ｂが壁セクション４０４のそれぞれの長手方向端部に結合されるとき、壁セクション４０２、４０４、４０６の長手方向突起部４２４は、キャップセクション４５４ａおよび４５４ｂのそれぞれの空間４８３ａおよび４８３ｂ内に受容される。
【００８７】
壁セクション４０４の第１のカップリングプロファイル４０８は、壁セクション４０６の一方の長手方向端部で壁セクション４０６の第２のカップリングプロファイル４１０のスロット４１７に挿入される。次いで、壁セクション４０４の長手方向端部が壁セクション４０６の長手方向端部と整列するまで、壁セクション４０４および４０６を長手方向に互いに対して移動させ、それにより枢動カップリング４１４を形成する（図２０Ｃ参照）。続いて、キャップセクション４５４ｃおよび４５４ｄは、キャップセクション４５４ａおよび４５４ｂが壁セクション４０４に結合されるのと同じ方法で、壁セクション４０６の長手方向端部に結合される。残りの壁セクション４０２、４０６は、壁４０１を形成するために上述したのと同じ方法で組み立てられ、残りのキャップセクション４５４は、上述したのと同じ方法で残りの壁セクション４０２、４０６に結合されることが理解されよう。（図２２Ａ〜Ｃを参照）。図２２を参照すると、それぞれの隣接する壁セクション４０２、４０４および４０６の間に枢動カップリング４１４が形成されることが分かる。上記の方法は、収納装置１００の壁１０１を組み立て、キャップセクション１５４を収納装置１００の壁セクション１０２、１０４、１０６に結合するために使用されることも理解されよう。
【００８８】
各壁セクション４０２、４０４、４０６の長手方向突起部４２４は、壁セクション４０２、４０４、４０６の各長手方向端部に近接するバンプ（図示せず）を有する。キャップセクション４５４が壁セクション４０２、４０４、４０６のそれぞれの長手方向端部に結合されると、各バンプはキャップセクション４５４の孔４９２内にスナップ嵌め式に受容され、それによりキャップセクション４５４を壁セクション４０２、４０４、４０６の長手方向端部に固定する。
【００８９】
図２０Ｄを参照すると、キャップセクション４５４がそれぞれの壁セクション４０２、４０４、４０６に結合されると、キャップセクション４５４の突起カバー部４５７は、隣接するキャップセクション４５４の空隙４５９に受容される。カバー部４５７はまた、隣接する壁セクション４０２、４０４、４０６の間に形成された枢動カップリング４１４の端部を覆う。
【００９０】
図２１Ａ〜Ｃを参照すると、保持クリップ５３２は、壁セクション４０２、４０４、４０６の長手方向突起部４２４が保持クリップ５３２の第１の凹部５８５ａおよび第２の凹部５８３ｂに受容されるように、壁セクション４０２、４０４、４０６に対してある角度で保持クリップ５３２を配置することによって壁４０１の内壁面に結合される。次いで、保持クリップ５３２は、矢印１６の方向に壁セクション４０２、４０４、４０６に沿って所望の位置に移動される。保持クリップ５３２が所望の位置にくると、保持クリップ５３２は、リップ４８２ａおよびリップ４８２ｂがそれぞれスリット５８４ａおよびスリット５８４ｂにスナップ嵌め式に受容されるまで、矢印１８によって全体的に示される方向に回転し、それにより保持クリップ５３２を壁セクション４０２、４０４、４０６に結合する。図１６Ｃを参照すると、各壁セクション４０２、４０４、４０６の保持クリップ５３２は、横方向に延在する保持クリップセット４３３を形成するように配置される。
【００９１】
次に、収納装置４００の使用について説明する。収納装置４００の使用は、釣竿１０が保持クリップ５３２からどのように受容され、取り外されるかを除いて、収納装置１００の使用と略同一であることが理解されよう。したがって、収納装置１００のものと同一の収納装置４００の使用の態様は、これらの使用が収納装置１００に関して既に上述されているので、以下で再び説明しない。
【００９２】
図２２を参照すると、壁４０１が開いた構成にあるとき、保持クリップ５３２にアクセスすることによって、釣竿１０を受容し、保持クリップ５３２から取り外すことが可能になる。釣竿１０は、壁セクション４０２、４０４、４０６の各保持クリップ５３２の第１の留め金５８５ａを開位置に移動させることによって、１つの壁セクション４０２、４０４、４０６の保持クリップ５３２によって受容される。さらなる釣竿１０は、壁セクション４０２、４０４、４０６の各保持クリップ５３２の第２の留め金５８５ｂを開位置に移動させることによって、１つの壁セクション４０２、４０４、４０６の保持クリップ５３２によって受容することができる。開位置において、第１の留め金５８５ａおよび第２の留め金５８５ｂは、釣竿１０が保持クリップ５３２の第１の保持凹部５９６ａおよび第２の保持凹部５９６ｂにそれぞれ出入りすることを可能にする。閉位置において、第１の留め金５８５ａおよび第２の留め金５８５ｂは、釣竿１０が第１の保持凹部５９６ａおよび第２の保持凹部５９６ｂにそれぞれ出入りすることを阻害する。
【００９３】
図２３を参照すると、壁４０１が閉じた構成にあるとき、保持クリップ５３２と、保持クリップ５３２によって保持される任意の釣竿１０は、キャビティ４５２内に配置される。閉じた構成では、各保持クリップセット４３３内の隣接する保持クリップ５３２が当接して、収納装置４００をそれぞれ支持する。
【００９４】
壁４０１が閉じた構成にあるとき、各壁セクション４０２、４０４、４０６の長手方向端部の１つに結合されたキャップセクション４５４のそれぞれが協働して、キャビティ４５２の長手方向端部を閉じる。キャップセクション４５４は、壁４０１が開いた構成または閉じた構成のいずれかにあるとき、保持クリップ５３２によって保持された釣竿１０が長手方向に収納装置４００から滑り落ちることを防止することが理解されよう。キャップセクション４５４はまた、壁４０１が閉じた構成にあるときに、収納装置４００に保持された釣竿１０を損傷する可能性がある異物がキャビティ４５２に侵入するのを防止する。キャップセクション４５４はまた、壁セクション４０２、４０４、４０６の端部に対する損傷を防止する。
【００９５】
収納装置４００は、収納装置１００の１つまたは複数の固定手段１４２をさらに含むことができることも想定される。
【００９６】
図２４Ａ〜Ｃは、第３の実施形態による１つまたは複数の釣竿１０を、それぞれ閉じた構成、部分的に開いた構成、および開いた構成で収納および／または運搬するための収納装置６００を示す。収納装置６００は、収納装置１００と同様である。しかしながら、収納装置６００は、収納装置６００の壁６０１を形成する壁セクション６０２、６０４、６０６が異なる押出プロファイル６２３を有する点で、収納装置１００と異なる。収納装置６００はまた、異なる端末キャップ６５４および保持クリップ７３２を有し、収納装置１００の端部要素１３０を有さない。
【００９７】
収納装置６００と同一または同等の収納装置１００の特徴には、収納装置１００と同等の参照番号が付されるが、５００だけ増加される。収納装置１００と収納装置６００との間で同一の特徴については、収納装置１００に関するこれらの特徴の上記の説明は、収納装置６００に見られる対応する同一／同等の特徴にも適用可能であることが理解されよう。したがって、収納装置１００と収納装置６００との間の同一の特徴は、収納装置６００に関する特徴が収納装置１００に関し既に上述されているので、収納装置６００に関して以下で再び説明しない。
【００９８】
図２５Ａ〜Ｂは、壁セクション６０２／６０６の切頭部分を示し、図２５Ｃ〜Ｄは、壁セクション６０４の切頭部分を示す。図２５Ａ〜Ｄから、壁セクション６０２、６０４、６０６は、ある角度で共に結合された収納装置４００の壁セクション４０２、４０４、４０６のうちの事実上２つであることがわかる。壁セクション６０２、６０４および６０６は、収納装置１００の壁セクションの傾斜した突起１２６を含まない。
【００９９】
収納装置６００の壁セクション６０２、６０４、６０６は、第１の長手方向突起部６２４ａと第２の長手方向突起部６２４ｂとを含む。第１の長手方向突起部６２４ａおよび第２の長手方向突起部６２４ｂは、それらの間に長手方向の溝６９０を画定する。
【０１００】
第１の長手方向突起部６２４ａは、第１の長手方向突起部６２４ａの長手方向エッジ部に沿って延在する第１のフランジ６８１ａおよび第２のフランジ６８１ｂを有する。第１のフランジ６８１ａはリップ６８２ａを有し、第２のフランジ６８１ｂはリップ６８２ｂを有する。リップ６８２ａおよび６８２ｂのそれぞれは、第１のフランジ６８１ａおよび第２のフランジ６８２ｂの長さにわたって延在する。同様に、第２の長手方向突起部６２４ｂは、第２の長手方向突起部６２４ｂの長手方向エッジ部に沿って延在する第１のフランジ６８１ｃおよび第２のフランジ６８１ｄを有する。第１のフランジ６８１ｃはリップ６８２ｃを有し、第２のフランジ６８１ｄはリップ６８２ｄを有する。リップ６８２ｃおよび６８２ｄのそれぞれは、第１のフランジ６８１ｃおよび第２のフランジ６８２ｄの長さにわたって延在する。
【０１０１】
図２６Ａ〜Ｄは、収納装置６００で使用するためのキャップセクション６５４を示す。キャップセクション６５４は、収納装置１００のキャップセクション１５４と同様である。キャップセクション６５４の内側面６６０は、部分６８４によって画定される第１の空間６８３ａおよび第２の空間６８３ｂを含む。部分６８４は、第１の孔６９２ａおよび第２の孔６９２ｂを有し、輪郭６９３を画定する。
【０１０２】
図２７Ａ〜Ｄは、収納装置６００で使用するための保持クリップ７３２を示す。保持クリップ７３２は、保持クリップ２３２と同様である。しかしながら、保持クリップ７３２は、保持クリップ２３２のチャネル２４０ａおよび２４０ｂを有さず、代わりに、第１の保持凹部７９６ａおよび第２の保持凹部７９６ｂをそれぞれ閉じる第１の留め金７８５ａおよび第２の留め金７８５ｂを有する。さらに、保持クリップ７３２の係合端部７３４は、保持クリップ２３２の係合端部２３４とは異なる。保持クリップ７３２は、壁セクション６０２、６０４、６０６同じ材料または任意の他の適切な材料から形成されてもよいことが想定される。保持クリップ７３２は、別個に形成する必要がある第１の留め金７８５ａおよび第２の留め金７８５ｂから分離され、壁セクション６０２、６０４、６０６と一体的に形成されてもよいことも想定される。
【０１０３】
保持クリップ２３２と同一または同等の保持クリップ７３２の特徴には、保持クリップ２３２と同等であるが、５００だけ増加される参照番号が付される。保持クリップ２３２と保持クリップ７３２との間で同一の特徴については、保持クリップ２３２に関するこれらの特徴の上記の説明は、保持クリップ７３２に見られる対応する同一の／等価な特徴にも適用可能であることが理解されよう。したがって、保持クリップ２３２と保持クリップ７３２との間の同一の特徴は、保持クリップ７３２のこれらの特徴が保持クリップ２３２に関して既に上述されているので、保持クリップ７３２に関して以下で再び説明しない。
【０１０４】
保持クリップ７３２の係合プロファイル７３４は、第１の延長部７８８ａおよび第２の延長部７８８ｂによって部分的に画定される。第１の延長部５８８ａはスリット７８９ａを有し、第２の延長部７８８ｂはスリット７８９ｂを有する。スリット７８９ａは、スリット７８９ｂと反対の方向に対向していることが分かる。第１の延長部７８８ａおよび第２の延長部７８８ｂは、壁セクション６０２、６０４および６０６の長手方向の溝６９０の幅に実質的に等しい幅を有する。
【０１０５】
第１の留め金７８５ａおよび第２の留め金７８５ｂは、保持クリップ７３２に枢動可能に結合され、開位置と閉位置との間で移動可能である。図２７ＡおよびＢを参照すると、閉位置において、第１の留め金７８５ａおよび第２の留め金７８５ｂは、第１の保持凹部７９６ａおよび第２の保持凹部７９６ｂを、それぞれ閉鎖する。図２７ＣおよびＤを参照すると、開位置において、第１の留め金７８５ａおよび第２の留め金７８５ｂは、それぞれ第１の保持凹部７９６ａおよび第２の保持凹部７９６ｂへのアクセスを可能にする。
【０１０６】
保持クリップ７３２は、第１の対の窪み７８６ａと第２の対の窪み７８６ｂとを有する。第１の留め金７８５ａは、一対のバンプ７８７ａを有し、第２の留め金７８５ｂは、一対のバンプ７８７ｂを有する。閉位置において、一対のバンプ７８７ａは、一対の窪み７８６ａの個々の１つにスナップ嵌め式に受容され、それにより、第１の留め金７８５ａを閉位置に固定する。同様に、一対のバンプ７８７ｂは、一対の窪み７８６ｂの個々の１つにスナップ嵌め式に受容され、それにより、第２の留め金７８５ｂを閉位置に固定する。
【０１０７】
保持クリップ７３２は、保持クリップ７３２の係合端部７３４を、保持クリップ１３２の係合端部１３４と略同一の係合端部に置き換えることによって、収納装置１００で使用することができることが理解されよう。
【０１０８】
次に、収納装置６００の組み立てについて説明する。収納装置６００のアセンブリは、収納装置１００のアセンブリと実質的に同様であることが理解されよう。したがって、収納装置１００のものと同一の収納装置６００の組み立ての態様は、収納装置１００に関して既に上述されているので、以下で再び説明しない。
【０１０９】
図２８Ａを参照すると、キャップセクション７５４ａおよび７５４ｂは、キャップセクション６５４ａおよび６５４ｂの嵌合プロファイル６６２ａおよび６６２ｂを壁セクション６０６の長手方向端部にそれぞれ嵌合することによって、長手方向壁セクション６０６のそれぞれの端部に結合される。図２８Ｂを参照すると、キャップセクション６５４ａおよび６５４ｂの外側フランジ６５８ａおよび６５８ｂが、壁セクション６０６の外壁面６１８に当接することが分かる。キャップセクション６５４ａおよび６５４ｂが壁セクション６０６のそれぞれの長手方向端部に結合されるとき、輪郭６９３ａ、６９３ｂは壁セクション６０６の長手方向の溝６９０に受容される。
【０１１０】
壁セクション６０４の第１のカップリングプロファイル６０８は、壁セクション６０６の一方の長手方向端部で壁セクション６０６の第２のカップリングプロファイル６１０に挿入される。次いで、壁セクション６０４の長手方向端部が壁セクション６０６の長手方向端部と整列するまで、壁セクション６０４および６０６を長手方向に互いに対して移動させ、それにより枢動カップリング６１４を形成する（図２８Ｃ参照）。続いて、キャップセクション６５４ｃおよび６５４ｄは、キャップセクション６５４ａおよび６５４ｂが壁セクション６０６に結合されるのと同じ方法で、壁セクション６０４の長手方向端部に結合される。残りの壁セクション６０２は、壁６０１を形成するために上述したのと同じ方法で壁セクション６０６に結合され、残りのキャップセクション６５４は上述したのと同じ方法で壁セクション６０２に結合されることが理解されよう（図２２Ａ〜Ｃを参照）。図３０を参照すると、それぞれの隣接する壁セクション６０２、６０４および６０６の間に枢動カップリング６１４が形成されることが分かる。
【０１１１】
各壁セクション６０２、６０４、６０６の第１の長手方向突起部６２４ａおよび第２の長手方向突起部６２４ｂは、壁セクション６０２、６０４、６０６の各長手方向端部に近接するバンプ（図示せず）を有する。キャップセクション６５４が壁セクション６０２、６０４、６０６のそれぞれの長手方向端部に結合されると、各バンプは、キャップセクション６５４の孔６９２ａ、６９２ｂの１つにスナップ嵌め式に受容され、それによりキャップセクション６５４を壁セクション６０２、６０４、６０６の長手方向端部に固定する。
【０１１２】
図２８Ｄを参照すると、キャップセクション６５４がそれぞれの壁セクション６０２、６０４、６０６に結合されたとき、キャップセクション６５４の突起カバー部６５７は、隣接するキャップセクション６５４の空隙６５９に受容される。カバー部６５７はまた、隣接する壁セクション６０２、６０４、６０６間に形成された枢動カップリング６１４の端部を覆う。
【０１１３】
図２９Ａ〜Ｃを参照すると、保持クリップ７３２は、第１の延長部分７８８ａおよび第２の延長部７８８ｂが壁セクション６０２、６０４、６０６の長手方向の溝６９０に受容されるように、壁セクション６０２、６０４、６０６に対してある角度で保持クリップ７３２を配置することによって壁６０１の内壁面に結合される。次いで、保持クリップ７３２は、矢印２０の方向に壁セクション６０２、６０４、６０６に沿って所望の位置に移動される。保持クリップ７３２が所望の位置になると、保持クリップ７３２は、リップ７８２ｂおよびリップ７８２ｃがそれぞれスリット７８９ａおよびスリット７８９ｂにスナップ嵌め式に受容されるまで、矢印２２によって全体的に示される方向に回転され、それにより保持クリップ７３２を壁セクション６０２、６０４、６０６に結合する。図２４Ｃを参照すると、各壁セクション６０２、６０４、６０６の保持クリップ７３２は、横方向に延在する保持クリップセット６３３を形成するように配置される。
【０１１４】
次に、収納装置６００の使用について説明する。収納装置６００の使用は、釣竿１０がどのように保持クリップ７３２から受容され、取り外されるかを除いて、収納装置１００の使用と概して同一であることが理解されよう。したがって、収納装置１００のものと同一の収納装置６００の使用の態様は、これらの使用が収納装置１００に関して既に上述されているので、以下で再び説明しない。
【０１１５】
図３０を参照すると、壁６０１が開いた構成にあるとき、保持クリップ７３２にアクセスすることによって、釣竿１０を受容し、保持クリップ７３２から取り外すことが可能になる。釣竿１０は、壁セクション６０２、６０４、６０６の各保持クリップ７３２の第１の留め金７８５ａを開位置に移動させることによって、１つの壁セクション６０２、６０４、６０６の保持クリップ７３２に受容される。さらなる釣竿１０は、壁セクション６０２、６０４、６０６の各保持クリップ７３２の第２の留め金７８５ｂを開位置に移動させることによって、１つの壁セクション６０２、６０４、６０６の保持クリップ７３２によって受容することができる。開位置では、第１の留め金７８５ａおよび第２の留め金７８５ｂは、釣竿１０が保持クリップ７３２の第１の保持凹部７９６ａおよび第２の保持凹部７９６ｂに出入りすることをそれぞれ可能にする。閉位置では、第１の留め金７８５ａおよび第２の留め金７８５ｂは、釣竿１０が第１の保持凹部７９６ａおよび第２の保持凹部７９６ｂに出入りすることをそれぞれ阻害する。
【０１１６】
図３１を参照すると、壁６０１が閉じた構成にあるとき、保持クリップ７３２および保持クリップ７３２によって保持される任意の釣竿１０は、キャビティ６５２内に配置される。閉じた構成では、各保持クリップセット６３３内の隣接する保持クリップ７３２が当接して、収納装置６００をそれぞれ支持する。
【０１１７】
壁６０１が閉じた構成にあるとき、各壁セクション６０２、６０４、６０６の長手方向端部の１つに結合されたキャップセクション６５４の各々が協働して、キャビティ６５２の長手方向端部を閉じる。キャップセクション６５４は、壁６０１が開いた構成または閉じた構成のいずれかにあるとき、保持クリップ７３２によって保持された釣竿１０が長手方向に収納装置６００から滑り落ちることを防止することが理解されよう。キャップセクション６５４はまた、壁６０１が閉じた構成にあるときに、収納装置６００に保持された釣竿１０を損傷する可能性がある異物がキャビティ６５２に侵入するのを防止する。キャップセクション６５４はまた、壁セクション６０２、６０４、６０６の端部への損傷を防止する。
【０１１８】
収納装置６００は、収納装置１００の１つまたは複数の固定手段１４２をさらに含むことができることも想定される。
【０１１９】
図３２Ａ〜Ｃは、壁セクション４０２、４０４、４０６のうちの１つに取り外し可能に結合された釣り用リール１６４を示す。釣り用リール１６４は、一対の固定ブラケット４７０と締結具１７８によって壁セクション４０２、４０４、４０６に結合される。
【０１２０】
図３２Ｃを参照すると、各固定ブラケット４７０は、一対の内側に突出するタブ４９１ａおよび４９１ｂと、ねじ付き開口部４７４とを有する。各内側に突出するタブ４９１ａ、４９１ｂは、第１のフランジ４８１ａおよび第２のフランジ４８１ｂの壁セクション４０２、４０４、４０６の内壁面４２０に対向する側にそれぞれ係合するように構成されることが分かる。各締結具１７８のねじ部１８０は、固定ブラケット４７０のうちの１つのねじ付き開口部４７４と係合するように構成される。
【０１２１】
釣り用リール１６４の壁セクション４０２、４０４、４０６への結合について説明する。各固定ブラケット４７０は、壁セクション４０２、４０４、４０６の内壁面４２０と、第１のフランジ４８１と第２のフランジ４８１ｂとの間の空間内に内側に突出するタブ４９１ａ、４９１ｂが受容されるように、長手方向突起部４２４に摺動可能に受容される。壁セクションに結合されると、各固定手段４７０は、壁セクション４０２、４０４、４０６の長手方向突起部４２４と通路４７６を画定する。釣り用リール１６４の係合フランジ１６８は、係合フランジ１６８が壁セクション４０２、４０４、４０６の長手方向突起部４２４に当接するように、２つの固定ブラケット４７０の間に配置される。各固定ブラケット４７０は、釣り用リール１６４の各係合フランジ１６８がそれぞれの固定ブラケット４７０によって画定された通路４７６に受容されるまで、壁セクション４０２、４０４、４０６の長手方向突起部４２４に沿って摺動する。
【０１２２】
固定ブラケット４７０が所定位置にあると、各締結具１７８は、それぞれの固定ブラケット４７０のねじ付き開口部４７４に挿入され、締結具１７８のねじ部１８０がねじ付き開口部４７４に螺合される。締結具１７８のエンド部分１７９がそれぞれの固定ブラケット４７０を通過して釣り用リール１６８の係合フランジ１６８の１つに当接するまで、各締結具１７８が回転される。締結具１７８のエンド部分１７９が係合フランジ１６８の１つに当接すると、締結具１７８を締め付けることにより、係合フランジ１６８が長手方向突起部５２５にさらに押し込まれ、さらに固定ブラケット４７０が壁セクション４０２、４０４、４０６から離れる。その結果、固定ブラケット４７０の各内側に突出するタブ４９１ａ、４９１ｂは、第１のフランジ４８１ａおよび第２のフランジ４８１ｂの個々の１つにしっかりと係合し、それにより固定ブラケット４７０および釣り用リール１６４を壁セクション４０２、４０４、４０６に沿って定位置に固定する。複数の釣り用リール１６４は、収納装置４００の壁セクション４０２、４０４、４０６のいずれかに、およびそれに沿ってどこにでも取り外し可能に結合され得ることが想定される。
【０１２３】
また、タックルボックスのような小さな収納ボックスもまた、上述した釣り用リール１６４のものと同様の方法で壁セクション４０２、４０４、４０６に取り外し可能に結合することができると想定される。さらに、釣り用リール１６４と収納ボックスとの組み合わせを、収納装置４００の壁セクション４０２、４０４、４０６に取り外し可能に結合することも想定される。壁４０１が閉じた構成にあるとき、壁セクション４０２、４０４、４０６に取り外し可能に結合された任意の釣り用リール１６４および／または収納ボックスは、キャビティ４５２内に配置される。
【０１２４】
釣り用リール１６４および／または収納ボックスは、収納装置４００に関して上述したのと同様の方法で、収納装置６００の壁セクション６０２、６０４、６０６に取り外し可能に結合されてもよいことも想定される。釣り用リール１６４および／または収納ボックスは、収納装置６００の壁セクション６０２、６０４、６０４のそれぞれの第１の長手方向突起部６２４ａおよび／または第２の長手方向突起部６２４ｂに取り外し可能に結合されてもよいことが理解されよう。
【０１２５】
図３３ＡおよびＢは、収納装置１００、４００、および６００のいずれかで使用することができる代替ハンドル８５０を示す。ハンドル８５０は、可撓性材料で作られたストラップ８９４と、２つの取り付けキー８４８とを含む。取り付けキー８４８は、収納装置１００、４００および６００の壁セクションの長手方向の凹部内に摺動可能に受容され、取り外し可能に保持されるように構成され、それによりハンドル８５０を収納装置１００、４００、６００の壁に結合する。取り付けキー８４８は、収納装置１００、４００、６００の壁セクションの長手方向の凹部内でお互いに接近および離反するように摺動することができ、それによりハンドル８５０が収納位置と使用中の位置との間で移動することを可能にすることが理解されよう。
【０１２６】
図３３ＣおよびＤは、収納装置４００に結合されたハンドル８５０を示し、図３３ＥおよびＦは、収納装置６００に結合されたハンドルを示す。図３３ＣおよびＥを参照すると、収納位置において、ストラップ８９４は、収納装置４００および６００の外壁面４１８および６１８に対してそれぞれ実質的に平坦に位置する。図３３ＤおよびＦを参照すると、使用中の位置では、取り付けキー８４８が互いの方に向かって移動され、それによりストラップ８９４が上方に押し進められ、それによりストラップ８９４と収納装置４００、６００の外壁面４１８および６１８との間に隙間８９５がそれぞれ形成される。隙間８９５は、ユーザがストラップ８９４を掴み、収納装置４００、６００を運ぶことを可能にする。ハンドル８５０は、収納装置４００および６００に関してのみ図示されるが、収納装置４００および６００に関して上述したのと同じ方法で、収納装置１００で使用することができることが理解されよう。
【０１２７】
上記の収納装置は単一部品である壁セクションを有すると記載されるが、各壁セクションは、所望の長さを有する壁セクションを形成するために端部同士で互いに結合された複数の壁セクションから作られてもよいことが想定される。
【０１２８】
したがって、記載された収納装置は、釣竿が運搬中に突然の損傷力から保護されるように、複数の釣竿をしっかりと保持することができる。収納装置は、各釣竿を内部で別々に保持するように保持し、それにより釣竿が互いに接触して損傷することを防止する。さらに、収納装置からの単一の釣竿の取り外しおよび挿入が簡単になる。
【０１２９】
好ましい実施形態を釣竿の使用に関連して説明したが、収納装置はこの使用に限定されないことが理解されよう。収納装置は、例えば、カメラ三脚装置、ナイフ、ライフル、アーチェリーのための矢などの他のスポーツ用および商業用装置を保持するために使用することもできる。
【０１３０】
収納装置は、好ましい実施形態を参照して説明されるが、本発明は多くの他の形態で具体化されてもよいことが当業者には理解されよう。
【図１】
2019517784.tif 000003
【図２】
2019517784.tif 000004
【図３】
2019517784.tif 000005
【図４】
2019517784.tif 000006
【図５Ａ】
2019517784.tif 000007
【図５Ｂ】
2019517784.tif 000008
【図５Ｃ】
2019517784.tif 000009
【図５Ｄ】
2019517784.tif 000010
【図５Ｅ】
2019517784.tif 000011
【図６Ａ】
2019517784.tif 000012
【図６Ｂ】
2019517784.tif 000013
【図６Ｃ】
2019517784.tif 000014
【図６Ｄ】
2019517784.tif 000015
【図６Ｅ】
2019517784.tif 000016
【図６Ｆ】
2019517784.tif 000017
【図７】
2019517784.tif 000018
【図８Ａ】
2019517784.tif 000019
【図８Ｂ】
2019517784.tif 000020
【図８Ｃ】
2019517784.tif 000021
【図８Ｄ】
2019517784.tif 000022
【図８Ｅ】
2019517784.tif 000023
【図８Ｆ】
2019517784.tif 000024
【図９Ａ】
2019517784.tif 000025
【図９Ｂ】
2019517784.tif 000026
【図９Ｃ】
2019517784.tif 000027
【図９Ｄ】
2019517784.tif 000028
【図１０Ａ】
2019517784.tif 000029
【図１０Ｂ】
2019517784.tif 000030
【図１０Ｃ】
2019517784.tif 000031
【図１０Ｄ】
2019517784.tif 000032
【図１１】
2019517784.tif 000033
【図１２】
2019517784.tif 000034
【図１３】
2019517784.tif 000035
【図１４Ａ】
2019517784.tif 000036
【図１４Ｂ】
2019517784.tif 000037
【図１５Ａ】
2019517784.tif 000038
【図１５Ｂ】
2019517784.tif 000039
【図１６Ａ】
2019517784.tif 000040
【図１６Ｂ】
2019517784.tif 000041
【図１６Ｃ】
2019517784.tif 000042
【図１７Ａ】
2019517784.tif 000043
【図１７Ｂ】
2019517784.tif 000044
【図１７Ｃ】
2019517784.tif 000045
【図１７Ｄ】
2019517784.tif 000046
【図１８Ａ】
2019517784.tif 000047
【図１８Ｂ】
2019517784.tif 000048
【図１８Ｃ】
2019517784.tif 000049
【図１８Ｄ】
2019517784.tif 000050
【図１９Ａ】
2019517784.tif 000051
【図１９Ｂ】
2019517784.tif 000052
【図１９Ｃ】
2019517784.tif 000053
【図１９Ｄ】
2019517784.tif 000054
【図２０Ａ】
2019517784.tif 000055
【図２０Ｂ】
2019517784.tif 000056
【図２０Ｃ】
2019517784.tif 000057
【図２０Ｄ】
2019517784.tif 000058
【図２１Ａ】
2019517784.tif 000059
【図２１Ｂ】
2019517784.tif 000060
【図２１Ｃ】
2019517784.tif 000061
【図２２】
2019517784.tif 000062
【図２３】
2019517784.tif 000063
【図２４Ａ】
2019517784.tif 000064
【図２４Ｂ】
2019517784.tif 000065
【図２４Ｃ】
2019517784.tif 000066
【図２５Ａ】
2019517784.tif 000067
【図２５Ｂ】
2019517784.tif 000068
【図２５Ｃ】
2019517784.tif 000069
【図２５Ｄ】
2019517784.tif 000070
【図２６Ａ】
2019517784.tif 000071
【図２６Ｂ】
2019517784.tif 000072
【図２６Ｃ】
2019517784.tif 000073
【図２６Ｄ】
2019517784.tif 000074
【図２７Ａ】
2019517784.tif 000075
【図２７Ｂ】
2019517784.tif 000076
【図２７Ｃ】
2019517784.tif 000077
【図２７Ｄ】
2019517784.tif 000078
【図２８Ａ】
2019517784.tif 000079
【図２８Ｂ】
2019517784.tif 000080
【図２８Ｃ】
2019517784.tif 000081
【図２８Ｄ】
2019517784.tif 000082
【図２９Ａ】
2019517784.tif 000083
【図２９Ｂ】
2019517784.tif 000084
【図２９Ｃ】
2019517784.tif 000085
【図３０】
2019517784.tif 000086
【図３１】
2019517784.tif 000087
【図３２Ａ】
2019517784.tif 000088
【図３２Ｂ】
2019517784.tif 000089
【図３２Ｃ】
2019517784.tif 000090
【図３３Ａ】
2019517784.tif 000091
【図３３Ｂ】
2019517784.tif 000092
【図３３Ｃ】
2019517784.tif 000093
【図３３Ｄ】
2019517784.tif 000094
【図３３Ｅ】
2019517784.tif 000095
【図３３Ｆ】
2019517784.tif 000096
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
少なくとも１つの細長い物品を保持するための収納装置であって、
内壁面と外壁面とを有し、開いた構成と閉じた構成との間で長手方向に延在するヒンジの周りを移動可能であるケースであって、前記閉じた構成は、長手方向に延在するキャビティを提供する、ケースと、
前記内壁面に結合され、または、一体的に形成され、前記少なくとも１つの細長い物品を、略長手方向に延在する向きで、受容し、および保持するように構成された、少なくとも１つの保持器と、を含み、
前記少なくとも１つの保持器は、前記内壁面に沿って長手方向に摺動するように前記内壁面上に摺動可能に配置される、収納装置。
【請求項２】
前記閉じた構成で、前記ケースを解放可能に保持するように構成された解放可能なカップリングをさらに含む、請求項１に記載の収納装置。
【請求項３】
前記ケースは、長手方向に延在する複数の壁セクションを含み、前記複数の壁セクションは、第１の端壁セクションと、第２の端壁セクションと、前記第１の端壁セクションと前記第２の端壁セクションとの間に配置された１つまたは複数の中間壁セクションとを含み、さらに、各壁セクションは、長手方向に延在する第１のエッジ部と、長手方向に延在する第２のエッジ部とを有する、請求項２に記載の収納装置。
【請求項４】
前記複数の保持器は、前記内壁面に結合されるか、または一体的に形成されており、前記複数の保持器は、横方向に延在するセットで配置されており、各セットは、隣接するセットから長手方向に離間している、請求項３に記載の収納装置。
【請求項５】
前記ケースが前記閉じた構成にあるとき、各セットの隣り合う保持器が前記ケースに支持を提供するように当接する、請求項４に記載の収納装置。
【請求項６】
前記内壁面は、前記少なくとも１つの保持器のベース部分と協働してその上に摺動保持するように構成された形態を含む、請求項１〜５のいずれか１項に記載の収納装置。
【請求項７】
前記形態は、前記少なくとも１つの保持器が摺動するように構成されたチャネルを含む、請求項６に記載の収納装置。
【請求項８】
前記チャネルの少なくとも１つの表面は、前記チャネルから前記少なくとも１つの保持器の解放を阻害するための歯またはリブを含む、請求項７に記載の収納装置。
【請求項９】
枢動カップリングが、隣接する壁セクションを枢動可能に結合する、請求項５に記載の収納装置。
【請求項１０】
各中間壁セクションの前記第１のエッジ部および前記第２の端壁セクションの前記第１のエッジ部はそれぞれ第１のカップリングプロファイルを含み、各中間壁セクションの前記第２のエッジ部および前記第１の端壁セクションの前記第２のエッジ部はそれぞれ第２のカップリングプロファイルを含み、さらに、各枢動カップリングは、隣接する第２のカップリングプロファイルに係合する前記第１のカップリングプロファイルの１つによって形成される、請求項９に記載の収納装置。
【請求項１１】
前記第１の端壁セクションの前記第１のエッジ部は前記第１のカップリングプロファイルを含み、前記第２の端壁セクションの前記第２のエッジ部は第３のカップリングプロファイルを含み、さらに、前記第１の端壁セクションの前記第１のカップリングプロファイルと前記第２の端壁セクションの前記第３のカップリングプロファイルは前記解放可能なカップリングを形成する、請求項１０に記載の収納装置。
【請求項１２】
各壁セクションは、均一なプロファイルを有する押出成形品の形態である、請求項５〜１１のいずれか１項に記載の収納装置。
【請求項１３】
各保持器は、
前記内壁面に結合可能な端部と、
外側保持部表面と、
前記細長い物品を受容するためであって、前記収納装置の長手方向に延在する第１の開口部と、
前記外側保持部表面から前記第１の開口部まで延在する第１のチャネルと、を含み、前記保持器は、前記第１のチャネルが開位置と閉位置との間で構成可能であるように、変形可能であり、
前記開位置では、前記第１のチャネルは、前記細長い物品の前記第１の開口部への出入りを可能にし、前記閉位置では、前記第１のチャネルは、前記細長い物品の第１の開口部への出入りを阻害する、請求項１〜１２のいずれか１項に記載の収納装置。
【請求項１４】
各保持器は、
前記細長い物品を受容するためであって、収納装置の長手方向に延在する第２の開口部と、
前記外側保持部表面から前記第２の開口部まで延在する第２のチャネルと、をさらに含み、前記保持器は、前記第２のチャネルが開位置と閉位置との間で構成可能であるように、変形可能であり、
前記開位置では、前記第２のチャネルは、前記細長い物品の前記第２の開口部への出入りを可能にし、前記閉位置では、前記第２のチャネルは、前記細長い物品の前記第２の開口部への出入りを阻害する、請求項１３に記載の収納装置。
【請求項１５】
各保持器は、
前記内壁面に結合可能な端部と、
外側クリップ表面と、
前記細長い物品を受容するためであって、前記収納装置の長手方向に延在する第１の保持凹部と、
前記保持器に枢動可能に結合され、開位置と閉位置との間で移動可能な第１の留め金とを含み、
前記開位置では、前記第１の留め金は、前記細長い物品が前記第１の保持凹部に出入りすることを可能にし、前記閉位置では、前記第１の留め金が前記第１の保持凹部を閉鎖し、それにより任意の細長い物品が前記第１の保持凹部に出入りするのを阻害する、請求項１〜１４のいずれか１項に記載の収納装置。
【請求項１６】
各保持器は、前記細長い物品を受容するためであって、前記収納装置の長手方向に延在する第２の保持凹部と、
前記保持器に枢動可能に結合され、開位置と閉位置との間で移動可能な第２の留め金とをさらに含み、
前記開位置では、前記第２の留め金は、前記細長い物品が前記第２の保持凹部に出入りすることを可能にし、前記閉位置では、前記第２の留め金が前記第２の保持凹部を閉鎖し、それにより任意の細長い物品が前記第２の保持凹部に出入りするのを阻害する、請求項１５に記載の収納装置。
【請求項１７】
前記少なくとも１つの保持器は、前記内壁面に取り外し可能に結合される、請求項１〜１６のいずれか１項に記載の収納装置。
【請求項１８】
前記少なくとも１つの保持器は第１の材料から形成され、前記ケースは第２の材料から形成され、前記第１の材料は前記第２の材料よりも軟質である、請求項１〜１７のいずれか１項に記載の収納装置。
【請求項１９】
取付金具が前記外壁面に結合され、前記取付金具の取付要素が前記外壁面に配置された受容形態と協働する、請求項１〜１８のいずれか１項に記載の収納装置。
【請求項２０】
前記受容形態は、前記外壁面に凹んだチャネルである、請求項１９に記載の収納装置。
【国際調査報告】
2019517784.tif 000097
2019517784.tif 000098
2019517784.tif 000099